(57)【要約】      （修正有）【課題】車体受部をエアロパーツの下側を潜らせる前は車体受部の高さを低くでき、潜らせた後はアームの上面から車体受部の上面までの高さギャップを大きくすることができる、車輌整備用リフトを提供する。【解決手段】車輌整備用リフト１は、昇降及び水平移動するアーム本体１４と、車体受部１１を備えた受金部１３と、受金部から延設された外筒１６と、外筒に内嵌するアーム本体の先端部に形成された円筒体１５とからなり、円筒体１５と外筒１６は、車体受部１１が上向き及び横向きの２位置に位置決めする嵌合状態とする第１嵌合部１８と第２嵌合部１９とを備え、円筒体１５は、ロック用孔２７と、ガイド突起２２とを備える。また、外筒は、ガイド突起２２を掛合して外筒の動きを制御する外筒移動ガイド手段を構成するガイド溝２３と、ロック用突起２５ａを有するロックレバー２５とを備える。【選択図】図１
2009214970.tif 000002
【特許請求の範囲】
【請求項１】
昇降及び水平移動するアーム本体と、
車体受部を備えた受金部と、
上記受金部から延設された外筒と、
上記外筒に内嵌する上記アーム本体の先端部に形成された円筒体とからなる車輌整備用リフトであって、
上記外筒と上記円筒体は、互いに連結する嵌合手段を有し、
上記外筒は、
上記嵌合手段が離脱するまで上記外筒をスライド可能に、かつ上記受金部が上向きから横向きとなるまで上記外筒を回転可能とする外筒移動ガイド手段と、
上記嵌合手段が嵌合状態のときに上記外筒を上記円筒体に対し回転不能・スライド不能にロックするロック手段と、
を備えたことを特徴とする車輌整備用リフト。
【請求項２】
前記ロック手段は、
前記嵌合手段が嵌合状態のときに前記外筒を前記円筒体に対し回転不能・スライド不能にロックする第１のロック手段と、
前記嵌合手段が離脱状態のときに前記外筒を前記円筒体に対し回転不能・スライド不能にロックする第２のロック手段と、を備えたことを特徴とする、請求項１に記載の車輌整備用リフト。
【請求項３】
前記円筒体は、円筒体内に設けられた前記受金部を付勢する付勢手段を備えることを特徴とする、請求項２に記載の車輌整備用リフト。
【請求項４】
前記嵌合手段は、前記受金部の端面に突設された第１嵌合部と、前記アーム本体の端面に突設され前記第１嵌合部に対して軸方向に嵌合・離脱し嵌合時相対回転不能である第２嵌合部とからなる、請求項１〜３のいずれかに記載の車輌整備用リフト。
【請求項５】
前記外筒移動ガイド手段は、前記円筒体に設けられたガイド突起と該ガイド突起を掛合案内する前記外筒に設けられたガイド溝とからなる、請求項１〜４のいずれかに記載の車輌整備用リフト。
【請求項６】
前記ロック手段は、前記外筒に設けられたロックレバーと、前記円筒体の周方向に設けられたロック用孔とを有してなる、請求項１、４又は５に記載の車輌整備用リフト。
【請求項７】
前記付勢手段は、前記円筒体の端面より設けられたばね収容孔に収容したばねと、該ばねを前記ばね収容孔に圧縮状態に収容する蓋板と、前記ばねによりアーム本体方向に凹圧されるフランジ部と、該フランジ部より前記ばねの中心と前記蓋板の中心孔を通り前記受金部に連結されたロッドとを有してなる、請求項３〜５のいずれかに記載の車輌整備用リフト。
【請求項８】
前記第１及び第２のロック手段は、前記外筒に設けられたロックレバーと、前記円筒体の周方向の異なる２箇所に設けられた第１及び第２のロック用孔とを有してなる、請求項３〜５及び７のいずれかに記載の車輌整備用リフト。
【発明の詳細な説明】
【技術分野】
【０００１】
本発明は、車輌を支持するための車体受部を備え、昇降及び任意の高さで水平移動を可能とする車輌整備用リフトに関するものである。
【背景技術】
【０００２】
車輌整備用リフトにより車輌をリフトアップする際、車体の下側からリフトアーム先端に備えられた車体受部を潜らせて、車体下面のジャッキアップポイントの真下へ位置させてアームを上昇させる。このため、アームを車体の下端より下に降下させ、車体受部の上面が車体の下端よりも低い位置になるようにしてから、車体受部を車体下に潜らせている。車体の外側や下方にエアロパーツ或いはサイドステップが設置されている場合には、アーム高を最低にまで降下させ、車体受部の上面がエアロパーツ或いはサイドステップの下端よりも低い位置になるようにしてから、車体受部をエアロパーツ或いはサイドステップの下側から潜らせる必要がある。
【０００３】
つまり、アーム上面から車体受部の上面までの高さ、すなわちアーム高さをエアロパーツ等の下端よりも低く設定しておかなければならない。アーム高さがエアロパーツ等の下端よりも高いと、車体受部がエアロパーツ等の下端にぶつかってしまい、車体受部をエアロパーツ等の下側を潜らせることができないからである。
【０００４】
しかしながら、アーム高さをエアロパーツ等の下端よりも低く設定しても、アームの上面から車体受部の上面までの高さ（これを車体受部高さという）が、エアロパーツ等の下端から車体のジャッキアップポイントまでの高さよりも低いと、車体受部がジャッキアップポイントに達する前に、アームの上面がエアロパーツ等の下端に衝突してしまう。
【０００５】
ちなみに、接地面から車体のジャッキアップポイントまでの高さ寸法、及び、エアロパーツ或いはサイドステップの下端からジャッキアップポイントまでの高さ寸法は、車種によって様々に相違している。
そこで、接地面から車体のジャッキアップポイントまでの高さ寸法、及び、エアロパーツ或いはサイドステップ等を設定した様々なタイプの車種に対応するため、以下に示すように、車体受部の高さを調節する方法が採られている。
【０００６】
第１の方法は、車体受部を高さ調節ボルトの上端に備えた構造としたものである。この高さ調節ボルトをアームの先端部に設けられたねじ孔に螺合し、車体受部の高さを調節する。この場合、車体受部をエアロパーツ等の下側を潜らせる前に車体受部の高さを最低にしておいて、アームを潜らせた後、高さ調節ボルトを回して、ジャッキアップポイントまでの高さを再設定するねじ調整方式である。
【０００７】
第２の方法は、挿し込み用支持部の上端に車体受部を備え、この挿し込み用支持部をアームの先端部に設けられた孔に挿し込んでなる構造である。アームの上面から車体受部の上面までの高さギャップが、エアロパーツ或いはサイドステップの下端から車体のジャッキアップポイントまでの高さギャップよりも若干大きくなるような長さを有する挿し込み用支持部を選んでアームに取り付けるアタッチメント方式（交換方式）である。
【０００８】
第３の方法は、特許文献１又は２に示すように、車体受部を起き上がり平行リンク又はＸリンクを介してアームの先端部に備えた構造であり、車体受部をエアロパーツ或いはサイドステップの下側を潜らせた後に、平行リンク又はＸリンクを起き上がらせ、アームの上面から車体受部の上面までの高さギャップが、エアロパーツ或いはサイドステップの下端から車体のジャッキアップポイントまでの高さギャップよりも大きくなるようにするリンク方式である。
【特許文献１】特開２０００−２３８９９５号公報
【特許文献２】特開２００３−０８１５８１号公報
【発明の開示】
【発明が解決しようとする課題】
【０００９】
近年、車両デザインのローダウン嗜好により車体及びエアロパーツ、サイドステップを設定した車輌も多くなり、またエアロパーツ、サイドステップの高さも多様化している状況にある。
【００１０】
このような状況の中、上記第１のねじ調整方式では、高さ調節ボルトの高さを低くしてエアロパーツ或いはサイドステップの下側を潜らせた後に、屈み込んで車体下側に手を伸ばし無理な体勢で高さ調節ボルトを回して高さを再設定しなければならない。また、上記第２のアタッチメント方式では、様々な高さのアタッチメントを準備しておかなければならない。上記第３リンク方式の場合、リンクの立ち上がり寸法が小さいので、車体は低くせず、エアロパーツ下面位置、サイドステップが低くした車種にあっては対応できないという問題がある。
【００１１】
上記問題点に鑑み、本発明は、リフトを潜らせた後の車体受部高さ調整が容易な車輌整備用リフトを提供することを目的としている。
【課題を解決するための手段】
【００１２】
本発明は、昇降及び水平移動するアーム本体と、車体受部を備えた受金部と、受金部から延設された外筒と、外筒に内嵌するアーム本体の先端部に形成された円筒体とからなる車輌整備用リフトであって、外筒と円筒体は互いに連結する嵌合手段を有し、外筒は、嵌合手段が離脱するまで外筒をスライド可能に、かつ受金部が上向きから横向きとなるまで外筒を回転可能とする外筒移動ガイド手段と、車体受部が横向きで嵌合手段が嵌合状態のときに外筒を円筒体に対し回転不能・スライド不能にロックするロック手段と、を備えて成ることを特徴とする。
【００１３】
具体的には、本発明の車輌整備用リフトは、昇降及び水平移動するアーム本体と、車体受部を備えた受金部と、受金部から延設された外筒と、外筒に内嵌するアーム本体の先端部に形成された円筒体とからなり、外筒と円筒体は互いに連結する嵌合手段を有し、外筒は、嵌合手段が離脱するまで外筒をスライド可能に、かつ受金部が上向きから横向きとなるまで外筒を回転可能とする外筒移動ガイド手段と、嵌合手段が嵌合状態のときに外筒を円筒体に対し回転不能・スライド不能にロックする第１のロック手段と、嵌合手段が離脱状態のときに外筒を円筒体に対し回転不能・スライド不能にロックする第２のロック手段と、を備えて構成されている。
【００１４】
前記円筒体は、好ましくは、円筒体内に設けられた受金部を付勢する付勢手段を備えている。
【００１５】
上記構成において、嵌合手段は、受金部の端面に突設された第１嵌合部と、アーム本体の端面に突設され上記第１嵌合部に対して軸方向に嵌合・離脱し、嵌合時には相対回転不能である第２嵌合部とからなることが好ましい。なお、嵌合手段の嵌合とは、外筒と円筒体とが連結され固定されて車体受部の上面が上向きになっている状態をいう。すなわち、第１嵌合部と第２嵌合部が嵌合して、外筒と円筒体は相互に回転不能となる。一方、嵌合手段の離脱とは、外筒と円筒体との連結が解除され、車体受部が上向きになっていた状態から９０度回転して車体受部の上面が横向きになった状態を意味する。すなわち、第１嵌合部と第２嵌合部の嵌合が解除され、外筒は水平方向及び／又は円筒体に対して回動可能となる。
【００１６】
上記外筒移動ガイド手段は、円筒体に設けられたガイド突起とガイド突起を掛合案内する外筒に設けられたガイド溝とからなることが好ましい。
【００１７】
上記ロック手段は、外筒に設けられたロック用突起を備えるロックレバーと、円筒体の周方向に設けられたロック用孔とを有してなる。第１嵌合部と第２嵌合部の嵌合とともに、ロック用突起がロック用孔に嵌合することで、車体受部の上面が横向きになったときに、外筒と円筒筒が相互に回転することを防止する。
また、ロック手段は、外筒に設けられたロック用突起を備えるロックレバーと、円筒体の周方向の異なる２箇所に設けられた第１及び第２のロック用孔とを備える構造としてもよい。このような構造にすることで、車体受部の上面が横向きになった状態で、外筒と円筒筒が相互に回転することを防止することができ、安全である。
【００１８】
また、付勢手段は、円筒体の端面より設けられたばね収容孔に収容したばねと、ばねをばね収容孔に圧縮状態に収容する蓋板と、ばねによりアーム本体方向に凹圧されるフランジ部と、フランジ部よりばねの中心と蓋板の中心孔を通り受金部に連結されたロッドとを有してなることが好ましい。
【発明の効果】
【００１９】
本発明によれば、車体受部を車体の下側を潜らせる前に、外筒を回転してリフトの高さを下限にするだけでよく、車体下で再度外筒を回転して、高さ調節ボルトの高さを変えることができるので操作が容易になるだけでなく、車体及びエアロパーツ或いはサイドステップ設定車や車高の低い車種等にも簡単に適用できる。
【発明を実施するための最良の形態】
【００２０】
以下、図面を参照して本発明に係る車輌整備用リフトの好ましい実施の形態について説明する。
【００２１】
（実施形態１）
図１〜図６は、本発明に係る車輌整備用リフトの一形態を示すものである。車輌整備用リフト１は、昇降及び水平移動するアーム本体１４と、車体受部１１を備えた受金部１３と、受金部から延設された外筒１６と、外筒に内嵌するアーム本体の先端部に形成された円筒体１５とからなる（図１（ａ）及び図１（ｂ）参照）。
円筒体１５と外筒１６には、第１嵌合部１８と第２嵌合部１９とからなる嵌合手段が設けられている。嵌合手段が嵌合した状態は、車体受部１１の上面が車両のジャッキアップポイントに接してリフトアップできるように上向きになっている状態（図１（ａ）及び図１（ｂ）の状態。以下「上向き」ということもある）である。嵌合が離脱された状態は、車体受部１１の上面が、上向きから９０度回転した状態（図５（ａ）及び図５（ｂ）の状態。以下「横向き」ということもある）を意味する。
円筒体１５には、さらに、第１嵌合部１８と第２嵌合部１９とを嵌合させる方向に付勢する付勢手段２１と、第１のロック用孔２６及び第２のロック用孔２７とを有してなるロック手段と、ガイド突起２２が備えられている。また、外筒には、ガイド突起２２を掛合して外筒の動きを制御する外筒移動ガイド手段を構成するガイド溝２３と、ロック用突起２５ａを有するロックレバー２５とが備えられている（図３参照）。
【００２２】
車体受部１１は、金属性の座板１１ａと、座板１１ａの上に固着されたゴムパッド１１ｂとを有してなり、ゴムパッド１１ｂの上面中央には車体Ｂのジャッキアップポイント（ピンチパネル）を受ける凹部が形成されている。車体受部１１は、この実施形態では、高さ調節ボルト１２の上端部に固設され、受金部１３に縦方向に貫通して設けられたねじ孔１３ａに螺合されている高さ調節ボルト１２を回すことで、高さ調整が可能である（図１（ａ）及び図１（ｂ）参照）。なお、アタッチメント方式の車体受部１１を採用しても良い。
【００２３】
アーム本体１４は、車輌整備用リフト１の本体装置の機能により、昇降及び任意の高さで水平移動が可能である。アーム本体１４の先端部は円筒に形成され、円筒体１５となっている（図１（ｂ）参照）。
【００２４】
受金部１３は、外筒１６と連接されて固定されている（図２参照）。なお、受金部１３と外筒１６とは一体に形成されても良い。
【００２５】
嵌合手段は、外筒１６内の受金部１３の端面両側部分に突設された第１嵌合部１８と、アーム本体１４の端面中央に突設され外筒１６内で第１嵌合部１８に対して軸方向に嵌合・離脱し嵌合時に相対回転不能である第２嵌合部１９とからなる（図１（ｂ），図２，図３参照）。この実施形態では、第１嵌合部１８と第２嵌合部１９とは、キーとキー溝との嵌合形式として形成されている。
【００２６】
付勢手段２１は、円筒体１５の端面中央より穿たれたばね収容孔２１ａに収容したばね２１ｂと、このばね２１ｂをばね収容孔２１ａに圧縮状態に収容する蓋板２１ｃと、フランジ部２１ｄ’を有するロッド２１ｄとからなる（図１（ｂ），図２，図３参照）。フランジ部２１ｄ’は、ばね２１ｂによりアーム本体１４の方向に押圧されている。また、ロッド２１ｄは、蓋板２１ｃの中心孔を通り、受金部１３に穿たれた小孔に通されていて、ロッド先端がピン２１ｅで受金部１３と連結されている（図１（ｂ），図５（ｂ））。したがって、付勢手段２１は、直接には受金部１３を付勢することにより、第１嵌合部１８と第２嵌合部１９とが嵌合する方向に付勢している。付勢手段２１は、アーム本体１４内に設けられ受金部１３に対して付勢して第１嵌合部１８と第２嵌合部１９とを嵌合させる（図１（ｂ），図５（ｂ））。なお、蓋板２１ｃは円錐台形状に設けられ、中心孔にロッド２１ｄの中途をスライド可能に貫挿支持している。
【００２７】
外筒移動ガイド手段は、円筒体１５の側面に設けられたガイド突起２２と、該ガイド突起２２を相対的に掛合案内する外筒１６にスリット状に設けられたガイド溝２３とからなる（図１（ａ）、図２〜図４参照）。ガイド溝２３は、「Ｌ」字形に形成されている（図１（ａ）、図４、図５（ａ）参照）。
ガイド溝２３の「Ｌ」字形のアーム方向の直線部分（軸方向）をガイド突起２２が相対的に移動するときは、第１嵌合部１８と第２嵌合部１９とが嵌合又は離脱する（図１（ａ）〜図４参照））。また、ガイド溝２３の「Ｌ」字形の周方向の部分をガイド突起２２が回動するときは、車体受部１１が横向き位置と上向き位置との二位置間を回動する（図４〜図５（ａ）参照））。なお、ガイド溝２３は、「Ｌ」字形に限定されない。また、外筒移動ガイド手段２４は、ガイド突起２２が外筒１６に設けられ、ガイド溝２３が円筒体１５に設けられた逆の構成であっても良い。この実施形態では、ガイド突起２２は、円筒体１５に孔を穿ち、ピースを埋め込み、溶接してなる（図３参照）。
【００２８】
ロック手段は、外筒１６の外面に設けられたヒンジ２８ａとピン２８ｂとで枢支されたロックレバー２５と、円筒体１５のロックレバー２５に対応する位置に設けられたロック用突起２５ａと、円筒体１５の周方向の異なる２箇所に設けられた第１のロック用孔２６及び第２のロック用孔２７とを有してなる。第２のロック用孔２７は、円筒体１５の上面に穿たれ、第１のロック用孔２６は円筒体１５の円周方向の側面に穿たれている（図１（ａ）、図３、図４、図５（ａ）参照）。
【００２９】
ロック用突起２５ａと、第１のロック用孔２６とは、第１嵌合部１８と第２嵌合部１９とが離脱状態で、かつ、車体受部１１が横向きのときに嵌合可能であり、嵌合すると、外筒１６を円筒体１５に対し回転不能・スライド不能にロックできる（図５（ａ）及び図５（ｂ））。
また、ロック用突起２５ａと、第２のロック用孔２７とは、第１嵌合部１８と第２嵌合部１９とが嵌合状態で、かつ、車体受部１１が上向きのときに嵌合可能であり、嵌合すると、外筒１６を円筒体１５に対し回転不能・スライド不能にロックできる（図１（ａ）及び図１（ｂ））。
【００３０】
上記のように構成された車輌整備用リフト１は、以下の動作機能を有する。
まず、外筒１６内の第１嵌合部１８と第２嵌合部１９との嵌合を離脱させると（図４）、車体受部１１を横向きとすることができる（図５（ａ））。このとき、「Ｌ」字形の周方向の端にガイド突起２２が位置すると共に、横向きに位置するロックレバー２５のロック用突起２５ａを第１のロック用孔２６に嵌合させると、外筒１６を円筒体１５に対し回転不能・スライド不能にロックできる。この状態で、車輌整備用リフト１により車輌をリフトアップする際には、車体受部１１を、車体Ｂの外側下方に位置するエアロパーツＡ（或いはサイドステップ）の下側を潜らせる（図６（ａ））。
【００３１】
すなわち、車体受部１１をエアロパーツＡの下側を潜らせる前に、車体受部１１を横向きにした状態で、アーム本体の上面から車体受部１１の上面までの高さギャップを、エアロパーツＡの下端から車体Ｂのジャッキアップポイントまでの高さギャップよりも大きくなるようにセットする。このようにすることで、車体受部１１の高さを従来よりも低くできる。したがって、車体Ｂ及びエアロパーツＡ又はサイドステップを設定して車体の下端を低くした車にも容易に適用することができる。
【００３２】
次に、ロックレバー２５のロック用突起２５ａを第１のロック用孔２６との嵌合から解くと、外筒１６を９０°回動することができる（図４及び図１（ａ）参照）。外筒１６を９０°回動すると、ガイド突起２２が「Ｌ」字形の曲がり部分に位置し、車体受部１１及びロックレバー２５が横向き位置から上向きとなる（図１（ａ）参照）。そして、「Ｌ」字形のコーナ部にガイド突起２２が位置することになり、このときから、付勢手段２１の付勢作用が機能して第１嵌合部１８と第２嵌合部１９とを嵌合させることになる。今度は、上位置となったロックレバー２５のロック用突起２５ａを第２のロック用孔２７に嵌合させることにより、外筒１６を円筒体１５に対し回転不能・スライド不能にロックした状態になる（図１（ａ））。
【００３３】
したがって、車体受部１１をエアロパーツＡの下側を潜らせた後は、ロックレバー２５のロックを外し、エアロパーツＡの外方で外筒１６を９０°回動することにより、車体受部１１を横向きから上向きにすることができる（図６（ａ）及び図６（ｂ））。車体受部１１が上向きになると、付勢手段２１の付勢作用が機能して第１嵌合部１８と第２嵌合部１９とが嵌合するから、ロックレバー２５をロックする。上記の高さギャップのセットにより、アームの上面から車体受部１１の上面までの高さギャップを、エアロパーツＡ（或いはサイドステップ）の下端から車体Ｂのジャッキアップポイントまでの高さギャップよりも大きくしているので、車体受部１１を車体Ｂのジャッキアップポイントに正確に対応させて、車輌整備用リフト１のアームを上昇させれば、車輌を持ち上げることができる（図６（ｂ））。
【００３４】
（実施形態２）
本実施形態は前述の実施形態１の付勢手段がなく、かつロック手段が１個の例である。実施形態１との構造上の相違は円筒体１５にある。
すなわち、車輌整備用リフトは、昇降及び水平移動するアーム本体１４と、車体受部１１を備えた受金部１３と、受金部から延設された外筒１６と、外筒に内嵌するアーム本体の先端部に形成された円筒体１５とからなる。
円筒体１５と外筒１６には、車体受部１１が上向き及び横向きの２位置に位置決めする嵌合状態とする第１嵌合部１８と第２嵌合部１９とからなる嵌合手段が設けられている。図７に示すように、円筒体１５には、ロック用孔２７と、ガイド突起２２が備えられている。また、外筒には、ガイド突起２２を掛合して外筒の動きを制御する外筒移動ガイド手段を構成するガイド溝２３と、ロック用突起２５ａを有するロックレバー２５とが備えられている。
【００３５】
ロック手段は、外筒１６の外面に設けられたヒンジ２８ａとピン２８ｂとで枢支されたロックレバー２５と、ロックレバー２５の円筒体１５に対応する位置に設けられたロック用突起２５ａと、円筒体１５の周方向に設けられたロック用孔２７'とを有してなる。ロック用孔２７は、円筒体１５の上面に穿たれている。ロック用突起２５ａと、ロック用孔２７'とは、第１嵌合部１８と第２嵌合部１９とが嵌合状態で、かつ、車体受部１１が上向きのときに嵌合可能であり、嵌合すると、外筒１６を円筒体１５に対し回転不能・スライド不能にロックできる。
外筒１６と円筒体１５の嵌合手段及び外筒移動ガイド手段は、実施形態１に述べたとおりである。
【００３６】
（実施形態３）
本実施形態は、前述の実施形態１の付勢手段がない一例である。実施形態１との構造上の相違は円筒体１５にある。
すなわち、車輌整備用リフトは、昇降及び水平移動するアーム本体１４と、車体受部１１を備えた受金部１３と、受金部から延設された外筒１６と、外筒に内嵌するアーム本体の先端部に形成された円筒体１５とからなる。
円筒体１５と外筒１６には、車体受部１１が上向き及び横向きの２位置に位置決めする嵌合状態とする第１嵌合部１８と第２嵌合部１９とからなる嵌合手段が設けられている。
図８に示すように、円筒体１５には、第１のロック用孔２６及び第２のロック用孔２７を有してなるロック手段と、ガイド突起２２が備えられている。また、外筒には、ガイド突起２２を掛合して外筒の動きを制御する外筒移動ガイド手段を構成するガイド溝２３と、ロック用突起２５ａを有するロックレバー２５とが備えられている。
外筒１６と円筒体１５の嵌合手段、ロック手段及び外筒移動ガイド手段は、実施形態１に述べたとおりである。
【００３７】
以上述べたように、本発明に係る車輌整備用リフトは、従来の各種車種に適用できるのは勿論のこと、車体及びエアロパーツ或いはサイドステップを設定した車輌の下端を低くした車輌や様々な車高の車種に適用できる。
【００３８】
本発明は、上記実施形態の構成に限定されるものでなく、その趣旨を逸脱しない範囲において様々な形態で実施することができる。
【図面の簡単な説明】
【００３９】
【図１】本発明の車輌整備用リフトの一実施形態を示す図で、（ａ）はリフトアップ時の正面図、（ｂ）は拡大縦断面図である。
【図２】図１の車輌整備用リフト要部の分解斜視図である。
【図３】図１の車輌整備用リフトの、他の要部の分解斜視図である。
【図４】図１の車輌整備用リフトの車体受部を横向きにするときの動作説明図である。
【図５】図１の車輌整備用リフトの、他の動作状態を示す説明図で、（ａ）は車体受部が横向き時の正面図、（ｂ）は拡大縦断面図である。
【図６】（ａ）は車体受部を横向きにした図１の車輌整備用リフトを車体の下方に潜らせる状態を示す概略正面図、（ｂ）は図１の車輌整備用リフトを車体の下方に潜らせた後に車体受部を上向きにしてリフトアップを開始する状態を示す概略正面図である。
【図７】本発明の第２の実施形態の円筒体の構造を示す図である。
【図８】本発明の第３の実施形態の円筒体の構造を示す図である。
【符号の説明】
【００４０】
１        車輌整備用リフト
１１      車体受部
１１ａ    座板
１１ｂ    ゴムパッド
１２      調節ボルト
１３      受金部
１３ａ    孔
１３ｂ    端部
１４      アーム本体
１５      円筒体
１６      外筒
１８      第１嵌合部
１９      第２嵌合部
２１      付勢手段
２１ａ    収容孔
２１ｃ    蓋板
２１ｄ    ロッド
２１ｄ’  フランジ部
２１ｅ    ピン
２２      ガイド突起
２３      ガイド溝
２４      外筒移動ガイド手段
２５      ロックレバー
２５ａ    ロック用突起
２６      第１のロック用孔
２７      第２のロック用孔
２７'     ロック用孔
２８ａ    ヒンジ
２８ｂ    ピン
【図１】
2009214970.tif 000003
【図２】
2009214970.tif 000004
【図３】
2009214970.tif 000005
【図４】
2009214970.tif 000006
【図５】
2009214970.tif 000007
【図６】
2009214970.tif 000008
【図７】
2009214970.tif 000009
【図８】
2009214970.tif 000010